(57)【要約】      （修正有）【課題】簡易な構成で足場の出入口を容易に通過可能な足場出入口用のゲートを提供する。【解決手段】シャッターを備えた足場用のゲートは、一対の支柱２と、この支柱２に架設した横杆１５とにより形成された足場の出入枠１内に、一対の支柱２に各々固定した一対の支持管５と、この一対の支持管５の上端に架設したシャッターボックス１０とを備えている。一対の支持管５には、それぞれ一対のガイドレール８を対向位置に固定配置するとともに、シャッターボックス１０内には、シャッターボックス１０の長さ方向中央部に回動可能に軸支したシャフトと、このシャフトに巻き回されるとともにガイドレール８に沿って摺動可能とするスラットとを収納する。【選択図】図１
0003232081.tif 000002
【実用新案登録請求の範囲】
【請求項１】
一対の支柱と、この支柱に架設した横杆とにより形成された足場の出入枠内に、上記一対の支柱に各々固定した一対の支持管と、この一対の支持管の上端に架設したシャッターボックスとを備え、上記一対の支持管には、それぞれ一対のガイドレールを対向位置に固定配置するとともに、上記シャッターボックス内には、当該シャッターボックスの長さ方向中央部に回動可能に軸支したシャフトと、このシャフトに巻き回されるとともに上記ガイドレールに沿って摺動可能とするスラットとが収納されたことを特徴とするシャッターを備えた足場出入口用のゲート。
【請求項２】
上記足場は楔形足場であって、上記出入枠の支柱には、出入枠の内部方向に凹金具を複数個所等間隔に突設するとともに、上記支持管には、上記凹金具の対向位置に当該凹金具に係合可能な凸金具を備えたことを特徴とする請求項１のシャッターを備えた足場出入口用のゲート。
【請求項３】
上記一対のガイドレールには、内部に上記スラットを摺動可能とする補助ガイドレールを、当該ガイドレールに対して摺動可能に挿入配置したことを特徴とする請求項１のシャッターを備えた足場出入口用のゲート。
【考案の詳細な説明】
【技術分野】
【０００１】
本考案は、建物の外周に組まれた足場において、この足場の外側から内側に作業員が出入り可能とするための足場の出入口に関するものである。
【背景技術】
【０００２】
建物の建築や外壁修理等を行う際には、建物の外周に足場が組まれるが、従来より特許文献１に示す如く、当該足場には、建物の外周を取り囲むように組まれた足場の外側と内側とを行き来するための出入口が設けられている。
【０００３】
【特許文献１】実用新案登録第2562206号公報
【考案の開示】
【考案が解決しようとする課題】
【０００４】
そしてこのような出入口を閉塞する必要がある場合には、当該出入口を被覆可能とするパネルやシートが一般的に使用されている。しかしながら、このようなパネルやシートを足場の出入口に使用した場合には、当該出入口を通過する際にパネルやシートをその都度移動させる必要があるため出入口の通過が煩雑なものとなっていた。
【０００５】
そこで、本考案は上述の如き課題を解決しようとするものであって、簡易な構成で足場の出入口を容易に通過可能にしようとするものである。
【課題を解決するための手段】
【０００６】
本考案は上述の如き課題を解決するため、一対の支柱と、この支柱に架設した横杆とにより形成された足場の出入枠内に、上記一対の支柱に各々固定した一対の支持管と、この一対の支持管の上端に架設したシャッターボックスとを備え、上記一対の支持管には、それぞれ一対のガイドレールを対向位置に固定配置するとともに、上記シャッターボックス内には、当該シャッターボックスの長さ方向中央部に回動可能に軸支したシャフトと、このシャフトに巻き回されるとともに上記ガイドレールに沿って摺動可能とするスラットとが収納されたものである。
【０００７】
また、上記足場は楔形足場であって、上記出入枠の支柱には、出入枠の内部方向に凹金具を複数個所等間隔に突設するとともに、上記支持管には、上記凹金具の対向位置に当該凹金具に係合可能な凸金具を備えたものであってもよい。
【０００８】
また、上記一対のガイドレールには、内部に上記スラットを摺動可能とする補助ガイドレールを、当該ガイドレールに対して摺動可能に挿入配置したものであってもよい。このように補助ガイドを設けることにより、例えば出入口の高さがガイドレールの丈よりも高く、ガイドレールの下端が出入口の地面まで到達しない場合には、当該ガイドレールに沿ってスラットを地面まで引き下げることは困難であるが、上記ガイドレールから補助ガイドを出入口の地面付近まで引き延ばすことにより、当該補助ガイドレールに沿ってスラットを地面付近まで引き下ろすことが可能となる。
【考案の効果】
【０００９】
本考案は上記の如く、足場の出入口にシャッターを設けた簡易な構成であって、当該シャッターのスラットの上げ下ろしのみで出入口を簡単に通過することができるものである。
【実施例１】
【００１０】
以下、本考案の実施例1について説明すると、(１)は足場の出入枠であって、この出入枠(1)は、地面(3)から延びる一対の支柱(2)と、この支柱(2)の間に地面(3)から約３．５ｍの高さの位置に架設された横杆(15)とで成るものである。尚、上記一対の支柱(2)の間隔を１．８ｍとしている。そして上記支柱(2)には、この支柱(2)とは垂直方向に突出したコ字型の凹金具(4)が等間隔に固定配置されている。またこの凹金具(4)は、上記一対の支柱(2)の間で同じ高さで対向方向に突出配置されている。
【００１１】
そして図１に示す如く、上記一対の支柱(2)には、一対の断面矩形の支持管(5)をそれぞれ対向位置に係合配置している。即ち、当該支持管(5)には、上記支柱(2)の凹金具(4)の配置間隔と同じ間隔にて、当該凹金具(4)に係合可能となるよう下方に突出したＬ字型の凸金具(6)が複数突出配置されている。そして、図２の矢印にて示す如く、支柱(2)の各凹金具(4)に当該凸金具(6)を各々係合することにより、各支柱(2)に支持管(5)を係合配置することが可能となる。
【００１２】
更に、上記凹金具(4)と凸金具(6)とを係合した状態で、図３に示す如く凸金具(6)の先端側に係止ボルト(7)を貫通配置することにより、凹金具(4)から凸金具(6)が抜けて係合が解除されないように凹金具(4)と凸金具(6)との係合状態を補強している。このように支柱(2)に支持管(5)を係合固定することにより、支持管(5)を支柱(2)に確実に固定配置することが可能となる。
【００１３】
また上記支持管(5)の一側には、図４に示す如く断面略コ字型のガイドレール(8)を、上記支持管(5)の長さ方向に沿って固定配置している。更に上記支持管(5)の上端側には、図１に示す如くシャッターボックス(10)を固定配置している。即ち、このシャッターボックス(10)は、図５に示す如く背面板(11)を上記支持管(5)に固定ボルト(12)にて固定配置している。そしてこのシャッターボックス(10)の内部には、当該シャッターボックス(10)の長さ方向中央部にシャフト(13)を回動可能に軸支している。そしてこのシャフト(13)には、上記ガイドレール(8)に沿ってその両端部を摺動可能とするスラット(14)が巻き回されている。
【００１４】
上記の如く、支持管(5)、ガイドレール(8)、及びシャッターボックス(10)を固定配置することにより、足場の出入枠(1)内に本考案の足場出入口用のゲートを設けることができる。そしてこのような足場出入口用のゲートにおいて、上記スラット(14)を上方に摺動させることにより、足場の出入口が開口するため外部と内部との往来が可能となるとともに、スライドを下方に摺動させることにより、図１に示す如く足場の出入口が遮断されて外部と内部との往来が不能となる。
【実施例２】
【００１５】
また、上記実施例１では支持管(5)にガイドレール(31)のみ固定配置しているが、本実施例では図６，７に示す如く、上記ガイドレール(31)の内部にスラット(32)を摺動可能とする補助ガイドレール(33)を、当該ガイドレール(31)に対して摺動可能となるよう挿入配置している。このように補助ガイドレール(33)を設けることにより、例えば出入口の高さが高くガイドレール(31)の長さでは足りない場合であっても、上記補助ガイドレール(33)をガイドレール(31)から出入口の地面(3)付近まで引き延ばすことにより、本考案のスラット(32)を地面(3)付近まで引き下ろすことが可能となる。
【００１６】
即ち、支持管(34)にガイドレール(31)を組付けた際に、当該ガイドレール(31)が短く地面(3)に到達困難な場合には、スラット(32)をガイドレール(31)に沿って地面(3)まで引き下ろすことができなくなるため、足場の出入口を地面(3)まで完全に閉塞することが困難となる。
【００１７】
そこで本実施例の如く補助ガイドレール(33)を設けることにより、たとえガイドレール(31)が短く地面(3)に到達しない場合であっても、上記の如くガイドレール(31)に摺動自在に組付けた補助ガイドレール(33)が、図６に示す如くその下端を地面(3)に当接するまで自重によりガイドレール(31)に沿って下降する。これにより、スラット(32)をガイドレール(31)及び補助ガイドレール(33)に沿って地面(3)まで引き下ろすことができるため、図８に示す如く足場の出入口を地面(3)まで完全に閉塞することが可能となる。尚、本実施例における他の構成については上記実施例１と同じである。
【図面の簡単な説明】
【００１８】
【図１】本考案の実施例１を示す全体正面図。
【図２】実施例１の支柱に支持管を係合配置する状態を示す側面図。
【図３】図２の部分拡大図。
【図４】図３のＡ−Ａ線端面図。
【図５】実施例１のシャッターボックスの支持管への組付け状態を示す部分側面図。
【図６】実施例２の支持管、ガイドレール、及び補助ガイドレールの組付状態を示す側面図。
【図７】図６のＢ−Ｂ線端面図。
【図８】実施例２においてスラットを地面まで下した状態を示す全体正面図。
【符号の説明】
【００１９】
2  支柱
4  凹金具
5,34  支持管
6  凸金具
8,31  ガイドレール
10  シャッターボックス
13  シャフト
14,32  スラット
15  横杆
33  補助ガイドレール
【図１】
0003232081.tif 000003
【図２】
0003232081.tif 000004
【図３】
0003232081.tif 000005
【図４】
0003232081.tif 000006
【図５】
0003232081.tif 000007
【図６】
0003232081.tif 000008
【図７】
0003232081.tif 000009
【図８】
0003232081.tif 000010